(57)【要約】【課題】容器内に収容した内容物を吐出する吐出容器において、吐出操作部への誤操作による内容物の吐出を簡易な操作で防止する。【解決手段】外容器１１の吐出口部２２に保持される係合部材５０が、吐出口部２２に装着されたキャップ４の下端縁部４８ｂと外容器１１の外フランジ部１４ｃとに容器軸方向（内容器５のストローク方向、ポンプ機構３０の作動方向）で挟み込まれ、ポンプ機構３０における内容器５と一体的にストロークするシリンダ部３５に係合して、該シリンダ部３５の内容物吐出方向へのストロークを規制する。【選択図】図１
2014028625.tif 000002
【特許請求の範囲】
【請求項１】
内容物が収容される内容器と、
該内容器をストローク可能に収納する外容器と、
前記外容器と前記内容器とを連結し、前記外容器に対する前記内容器のストロークにより前記内容物を前記外容器の吐出口部へ送り出す吐出機構と、
前記吐出口部に着脱自在に装着されるキャップと、
前記吐出口部に前記内容器のストローク方向で移動可能に保持される係合部材と、を備え、
前記係合部材が、前記キャップの第一係合部と前記外容器の第二係合部とに前記ストローク方向で挟み込まれる被挟持部と、前記吐出機構のうち、前記内容器と一体的にストロークする可動部に係合し、該可動部の前記ストローク方向の移動を規制する規制部と、を有することを特徴とする吐出容器。
【請求項２】
前記内容器が、前記吐出機構に対して着脱可能とされることを特徴とする請求項１に記載の吐出容器。
【発明の詳細な説明】
【技術分野】
【０００１】
本発明は、容器内に収容した内容物を吐出する吐出容器に関する。
【背景技術】
【０００２】
従来、例えば下記特許文献１に示されるように、内容物が収容される内容器と、該内容器を押し込み可能に収納する外容器と、外容器に対する内容器の押し込みにより、シリンダ内に吸入しておいた内容物を吐出孔から吐出し、前記押し込みを解除したときには、内容器内の内容物をシリンダ内に吸入する吐出機構と、を備える二重容器が知られている（例えば、特許文献１参照）。この二重容器においては、不意に加えられた外力により前記押し込みが生じてしまうことを防ぐために、外容器に、内容器の下端部（吐出操作部）を下方から覆うカバー体を着脱自在に装着するとともに、吐出孔に連通するノズルの先端部に、該先端部を開閉する蓋体を配設している。
【先行技術文献】
【特許文献】
【０００３】
【特許文献１】特開２００１−２７８３１５号公報
【発明の概要】
【発明が解決しようとする課題】
【０００４】
しかし、上記従来の技術では、内容物を吐出するに際し、前記蓋体を開くだけでなく、前記カバー体も外容器から取り外す必要があり、操作性に改善の余地があった。
【０００５】
そこで本発明は、容器内に収容した内容物を吐出する吐出容器において、吐出操作部への誤操作による内容物の吐出を簡易な操作で防止することを目的とする。
【課題を解決するための手段】
【０００６】
上記課題の解決手段として、本発明は、内容物が収容される内容器と、該内容器をストローク可能に収納する外容器と、前記外容器と前記内容器とを連結し、前記外容器に対する前記内容器のストロークにより前記内容物を前記外容器の吐出口部へ送り出す吐出機構と、前記吐出口部に着脱自在に装着されるキャップと、前記吐出口部に前記内容器のストローク方向で移動可能に保持される係合部材と、を備え、前記係合部材が、前記キャップの第一係合部と前記外容器の第二係合部とに前記ストローク方向で挟み込まれる被挟持部と、前記吐出機構のうち、前記内容器と一体的にストロークする可動部に係合し、該可動部の前記ストローク方向の移動を規制する規制部と、を有することを特徴とする。
【０００７】
この構成によれば、外容器に対する内容器のストロークによる吐出機構の吐出動作を、外容器の吐出口部にキャップを装着することのみで、吐出口部に保持された係合部材を介して規制することができる。すなわち、当該吐出容器の搬送時等における吐出操作部への誤操作による内容物の吐出を、外容器の吐出口部にキャップを装着するという通常使用に伴う一動作によって確実に防止することができ、当該吐出容器の操作性を大幅に高めることができる。
【０００８】
本発明において、前記内容器が、前記吐出機構に対して着脱可能とされることで、内容物を使い切った後の内容器をレフィル用のものに交換するという内容物の詰め替え作業を実現することができる。
【発明の効果】
【０００９】
本発明によれば、容器内に収容した内容物を吐出する吐出容器において、吐出操作部への誤操作による内容物の吐出を簡易な操作で防止することができる。
【図面の簡単な説明】
【００１０】
【図１】本発明の実施形態における吐出容器の半断面図である。
【図２】上記吐出容器の容器本体の半断面図である。
【図３】図２の要部拡大図である。
【図４】上記容器本体の内容物吐出時の半断面図である。
【図５】図４の要部拡大図である。
【図６】上記容器本体の吐出口部に保持される係合部材の上面図である。
【図７】上記係合部材の半断面図である。
【図８】上記容器本体の吐出口部の首部材の上面図である。
【図９】上記首部材の半断面図である。
【発明を実施するための形態】
【００１１】
以下、本発明の実施形態について図面を参照して説明する。
図１に示す吐出容器１は、軸線Ｏに沿って延びる円筒状の外観を有し、図の上端部に保持された塗布ボール２を用いて被塗布物に内容物を塗布可能とする所謂ロールオン容器として構成される。吐出容器１は、図の上端部に塗布ボール２を保持し、内蔵するポンプ機構３０によって内容物を塗布ボール２に向けて送り出す容器本体３と、容器本体３の上端部に着脱自在に装着され、該上端部及び塗布ボール２を覆う有頂筒状のキャップ４と、を備える。吐出容器１は、内容物として例えば液体を保持する。吐出容器１の各構成部品は、特に記載がなければ樹脂成形品とされる。
【００１２】
容器本体３及びキャップ４は、軸線Ｏを容器軸線（中心軸線）として共有する。以下、容器軸線Ｏに沿う方向を容器軸方向、容器軸方向でキャップ４側を上側、その反対側を下側とする。また、容器軸線Ｏに直交する方向を容器径方向、容器軸線Ｏ回りに周回する方向を容器周方向とする。
【００１３】
図２、図３に示すように、容器本体３は、内容物が収容される有底円筒状の内容器５と、内容器５を容器軸方向でストローク可能に収納する有頂円筒状の外容器１１と、外容器１１の上部と内容器５の上部とを連結し、外容器１１に対する内容器５のストロークにより内容物を外容器１１の吐出口部２２に送り出すポンプ機構３０と、を有する。
【００１４】
内容器５は、円筒状の内周壁部６と、内周壁部６の下端部に固定される有底円筒状の底部キャップ７と、底部キャップ７の上方で内周壁部６内に容器軸方向で摺動可能に嵌入される内容器ピストン８と、内周壁部６の上方に内フランジ部５ｂを介して縮径して連なる内容器口部９と、を有する。
【００１５】
底部キャップ７は、その上部を内周壁部６の下端部内に嵌入して内周壁部６に固定されるとともに、下部を外容器１１の下端よりも下方に突出させる。図２、図３は内容器５が外容器１１に対して下限位置までストロークした状態を示す。また、図４、図５は内容器５が外容器１１に対して上限位置までストロークした状態をそれぞれ示す。底部キャップ７の底壁部７ａは、内容器５を外容器１１に対して押し込むための操作部であり、換言すれば、ポンプ機構３０に内容物を吐出させるための吐出操作部である。底部キャップ７の底壁部７ａの下面には、ローレット等の滑り止めが形成されている。
【００１６】
内容器口部９は、ポンプ機構３０のうち、内容器５と一体的にストロークする可動部（シリンダ部３５）の下端部に着脱可能に外嵌する。
内容器ピストン８は、内容物の減少に伴い上昇して内容器５を減容させ、内容器５内への外気の浸入を防止する。底部キャップ７の底壁の中央には、内容器ピストン８の下方空間に対する通気孔が形成される。
【００１７】
外容器１１は、内容器５の内周壁部６の外周を囲う円筒状の外周壁部１２と、外周壁部１２の上端部に固定される首部材１３と、首部材１３の上端部に固定されて塗布ボール２を保持する先端キャップ１７と、を有する。
【００１８】
図８、図９を併せて参照し、首部材１３は、外周壁部１２の上端部内に挿入される下円筒部１４を有する。下円筒部１４の上部外周には、外周壁部１２の上端部内周に形成された雌ネジ部に螺合する雄ネジ部１４ａが形成される。下円筒部１４の下部には、容器軸方向に延びるスリット孔１４ｂが、容器径方向で対向するように一対設けられる。下円筒部１４の上端部外周には、外周壁部１２の螺着時に外周壁部１２の上端を下方から当接させるとともに、キャップ４の螺着時に係合部材５０のリング部５１を上方から当接させる外フランジ部１４ｃが設けられる。
【００１９】
下円筒部１４の上方には、略同径の上円筒部１５が連設される。上円筒部１５は、その上部外周にキャップ４内周の雌ネジ部を螺合させる雄ネジ部１５ａが形成されるとともに、下部外周に係合部材５０を容器軸方向でストローク可能に外嵌させる。上円筒部１５の上方には、内フランジ部１６ａを介して縮径して連なる首部材口部１６が形成される。
【００２０】
図２、図３を参照し、先端キャップ１７は、首部材口部１６に下部を外嵌させて固定される円筒状のキャップ周壁部１８と、キャップ周壁部１８の上下中間部の内周に形成される中段フランジ部１９と、中段フランジ部１９の内周側から下方に延びる円筒状のキャップステム部２０と、を有する。図中符号１８ｂはキャップ周壁部１８の下部内周に突設される外係合爪、符号１６ｂは首部材口部１６の外周に突設されて外係合爪１８ｂにアンダーカット係合して先端キャップ１７の首部材１３からの離脱を制限する内係合爪をそれぞれ示す。
【００２１】
キャップ周壁部１８の上部は、上側ほど緩やかに縮径するように湾曲し、その内周に保持した塗布ボール２の上方への離脱を制限する。塗布ボール２は、その中心を容器軸Ｏ上に位置させ、上部を先端キャップ１７の上方に突出させる。塗布ボール２は、容器径方向外側の外面をキャップ周壁部１８の上部内周面に近接させるとともに、下部下面を中段フランジ部１９の内周に開口する吐出口２１の周縁に近接させる。この塗布ボール２の転動により、吐出口２１及び先端キャップ１７内に至った内容物が、塗布ボール２に付着した後に被塗布物に転移することで、被塗布物に塗布される。
【００２２】
本実施形態において、首部材１３における外フランジ部１４ｃよりも上方の部位及び先端キャップ１７は、外容器１１におけるキャップ４により覆われる吐出口部２２を構成する。
【００２３】
ポンプ機構３０は、外容器１１のキャップステム部２０の下部内周に上端部を嵌入させて固定されるステム部３１と、内容器５の内容器口部９に下端部を嵌入させて固定されるシリンダ部３５と、シリンダ部３５内周に容器軸方向で摺動可能に嵌合し、シリンダ部３５内からステム部３１内への内容物への流通は許容し、逆方向の流通は制限する逆止弁としての筒状ピストン４１と、シリンダ部３５の下端部内周に保持され、内容器５内からシリンダ部３５内への内容物への流通は許容し、逆方向の流通は制限する逆止弁としての球体４５と、を有する。筒状ピストン４１は樹脂等の弾性体からなり、球体４５は例えば鋼球からなる。
【００２４】
ステム部３１は、キャップステム部２０の下部内周に上部を嵌入させて固定される円筒状の上ステム３２と、上ステム３２の下部内周に上部を嵌入させて固定される棒状の下ステム３３と、を有する。上ステム３２の下部と下ステム３３の上部との間には、内容物を流通可能な流路３４が形成される。流路３４は、上ステム３２の上部内周のステム内空間３１ａと下ステム３３の下部外周のシリンダ内空間３５ａとを連通させる。上ステム３２の下端とその下方に位置する下ステム３３の中間フランジ部３３ａとの間に、筒状ピストン４１が配置される。この筒状ピストン４１の容器軸方向の移動により、流路３４の下端部が開閉し、ステム内空間３１ａとシリンダ内空間３５ａとの連通及びその遮断が切り換わる。
【００２５】
シリンダ部３５は、ステム部３１の下部外周を囲う円筒状に形成される。シリンダ部３５の上端部内周には、上ステム３２の中間フランジ部３２ａに上方から係合可能な下向き係止面３６ａを形成する環状の上係止部材３６が固設される。シリンダ部３５の上下中間部外周には、首部材１３の下円筒部１４に形成された一対のスリット孔１４ｂにそれぞれ係合する一対の外突部３７ａを突設する円筒状の中間係止部材３７が固設される。下向き係止面３６ａが中間フランジ部３２ａに上方から係合するとともに、外突部３７ａがスリット孔１４ｂの下端縁に上方から係合することで、シリンダ部３５の下限位置が規定される。シリンダ部３５の下端部内周には、下側ほど縮径するすり鉢状のテーパー壁部３８、及びテーパー壁部３８の下端から下方に延びる円筒状のノズル部３９が形成される。
【００２６】
筒状ピストン４１は、上ステム３２の下端部内周面と下ステム３３の上下中間部外周面との間に入り込むとともに、基端部が上ステム３２の下端と中間フランジ部３３ａとの間を摺動して流路３４の下端部を開閉する上リップ部４２と、シリンダ部３５の上下中間部内周面に摺動可能に密接する下リップ部４３と、を有する。筒状ピストン４１は、上ステム３２の中間フランジ部３２ａとの間に縮設した上コイルバネ４４により、下ステム３３の中間フランジ部３３ａに上方から接した下限位置（図２、図３参照）に向けて付勢される。筒状ピストン４１は、下限位置にあるときに流路３４の下端部を閉塞する。筒状ピストン４１は、上コイルバネ４４の付勢力に抗して上昇したときに、流路３４の下端部を開放する。図４、図５は、筒状ピストン４１が上昇して上ステム３２の下端部に当接した上限位置にある状態を示す。
【００２７】
球体４５は、テーパー壁部３８の内周に配置される。球体４５の上方には、下コイルバネ４７の付勢力を受ける押圧体４６が配置される。下コイルバネ４７は、押圧体４６と下ステム３３の中間フランジ部３３ａとの間に縮設される。球体４５は、下コイルバネ４７の付勢力により、テーパー壁部３８の内周面にシール状態で密接し、シリンダ内空間３５ａと内容器内空間５ａとの連通を遮断する。図中符号３８ａはテーパー壁部３８の基端側に形成されて押圧体４６の下端を当接させるリブを示す。球体４５は、下コイルバネ４７の付勢力に抗して上昇したときには、シリンダ内空間３５ａと内容器内空間５ａとを連通させる。下コイルバネ４７は、ステム部３１を含む外容器１１に対して、シリンダ部３５を含む内容器５を下方に付勢する付勢手段でもある。
【００２８】
なお、押圧体４６を無くす代わりに、テーパー壁部３８のリブ３８ａの上端部に、球体４５の上方への抜け出しを防止するべく容器径方向内側に突出する突出部を設けてもよい。この場合、押圧体４６を用いない構造にすることで、部品点数が少なくなり、コスト低減になる。
【００２９】
上記構成において、底部キャップ７の底壁部７ａを上方に押し込んで、内容器５を外容器１１に対して上方にストロークさせると、球体４５も一体的に上昇し、球体４５上方のシリンダ内空間３５ａが圧縮、加圧される。この加圧により、筒状ピストン４１が上コイルバネ４４の付勢力に抗して上昇すると、流路３４の下端部が開放し、シリンダ内空間３５ａとステム内空間３１ａとが連通する。これにより、シリンダ内空間３５ａの内容物の一部が、流路３４を通じてステム内空間３１ａに圧送され、吐出口２１及び先端キャップ１７内に至って塗布ボール２による塗布に供される。シリンダ内空間３５ａの内容物の一部がステム内空間３１ａに流入すると、シリンダ内空間３５ａが大気圧相当に戻り、上昇していた筒状ピストン４１が上コイルバネ４４の付勢力で下降して、流路３４の下端部を閉塞する。
【００３０】
この後、底部キャップ７の底壁部７ａの押し込みを解除すると、下コイルバネ４７の付勢力により内容器５が外容器１１に対して下方へストロークし、球体４５も一体的に下降して、シリンダ内空間３５ａが膨張、減圧される。このとき、流路３４の下端部は筒状ピストン４１により閉塞されているので、球体４５が前記減圧により下方付勢バネの付勢力に抗して上昇し、内容器５内の内容物の一部がノズル部３９からシリンダ内空間３５ａに吸入される。内容器５内の内容物の一部がシリンダ内空間３５ａに流入すると、シリンダ内空間３５ａが大気圧相当に戻り、上昇していた球体４５が下付勢バネの弾性力で下降してテーパー壁部３８に密接したシール状態に戻る。内容器５内の内容物の流出に伴い、内容器ピストン８が上昇して内容器５を減容させる。
【００３１】
図１を参照し、キャップ４は、円筒状の周壁部４８及び円板状の天壁部４９を有する。周壁部４８の下部内周には、首部材１３の雄ネジ部１５ａに螺合する雌ネジ部４８ａが形成される。両ネジ部１５ａ，４８ａの螺合により、キャップ４が首部材１３に着脱可能に装着される。このとき、天壁部４９下面に形成された容器軸Ｏと同軸のリング突条４９ａが、塗布ボール２の上部に当接し、塗布ボール２を下方に押圧する。これにより、塗布ボール２の回転が規制されるとともに、塗布ボール２が先端キャップ１７内の吐出口２１の周縁に押し付けられて、ステム部３１内の内容物の流出が防止される。またこのとき、キャップ４の周壁部４８の下端縁部４８ｂと外容器１１の首部材１３の外フランジ部１４ｃとの間には、環状の係合部材５０のリング部５１が挟み込まれる。
【００３２】
図３、図６、図７に示すように、係合部材５０は、外容器１１の首部材１３の上円筒部１５に容器軸方向でストローク可能に外嵌するもので、吐出口部２２へのキャップ４の装着時に該キャップ４の周壁部４８の下端縁部４８ｂと外容器１１の外フランジ部１４ｃとの間に挟み込まれて外容器１１に固定されるリング部５１と、リング部５１の外容器１１への固定時にポンプ機構３０における内容器５と一体的にストロークするシリンダ部３５の上端部に係合してシリンダ部３５の外容器１１に対する上方へのストローク（内容物吐出方向へのストローク）を規制する規制片５２と、を有する。
【００３３】
リング部５１は、首部材１３の上円筒部１５の雄ネジ部１５ａを通過可能な内径を有し、上円筒部１５に上方から装着可能とされる。
規制片５２は、リング部５１の容器径方向で対向する部位に一対に設けられる。各規制片５２は、それぞれ前記対向する部位から容器径方向内側に延びる下辺部５２ａと、下辺部５２ａの先端から上方に延びる立辺部５２ｂと、立辺部５２ｂの上端から容器径方向内側に延びる上辺部５２ｃと、を有する。各規制片５２は、それぞれの上辺部５２ｃをシリンダ部３５の上係止部材３６の上端部に上方から当接させる。
【００３４】
図８、図９を併せて参照し、首部材１３の上円筒部１５には、各規制片５２を容器軸方向で移動可能とする一対のスリット１５ｂが形成される。各スリット１５ｂは、首部材口部１６も通過して首部材１３の上方に開放する。係合部材５０は、先端キャップ１７を装着する前の首部材１３に上方から装着され、その後に先端キャップ１７を首部材１３に装着することで、係合部材５０が首部材１３に容器軸方向で所定量だけストローク可能な状態に保持される。
【００３５】
係合部材５０は、吐出口部２２にキャップ４を装着したときには、ポンプ機構３０におけるストロークの下限位置にあるシリンダ部３５の上端部に、各規制片５２の上辺部５２ｃを上方から当接させた状態で、外容器１１に固定される。このとき、内容器５の底部キャップ７に押圧力が作用しても、シリンダ部３５の上方移動が係合部材５０及びキャップ４により規制されることから、ポンプ機構３０が作動せず、内容物が吐出してしますことはない。
【００３６】
一方、内容物を塗布する際には、キャップ４を外して吐出口部２２を露出させるのみで、シリンダ部３５の上方移動の規制が解除され、ポンプ機構３０により内容物を吐出させつつ塗布を行うことが可能となる。
このように、容器本体３の吐出口部２２にキャップ４を着脱するという、吐出容器１の通常使用に伴う一動作のみによって、ポンプ機構３０の作動の可否を切り換えることが可能であり、吐出容器１の使い勝手が大幅に向上する。
【００３７】
内容器５は、ポンプ機構３０に対して下方から着脱可能であり、内容物が収容された内容器５をレフィル用のカートリッジとして流通させることで、内容物を使い切った後も内容器５の交換による内容物の充填が可能である。内容器５の交換は、例えば、外容器１１を首部材１３から取り外して内容器５の全体を外部に露出させ、内容器口部９をシリンダ部３５の下端部から下方に引き抜き、新たな内容器５の内容器口部９をシリンダ部３５の下端部に下方から押し込んで外嵌させた後、外容器１１を再度取り付けることでなされる。
【００３８】
以上説明したように、本実施形態の吐出容器１によれば、外容器１１の吐出口部２２に保持される係合部材５０が、吐出口部２２に装着されたキャップ４の下端縁部４８ｂと外容器１１の外フランジ部１４ｃとに容器軸方向（内容器５のストローク方向、ポンプ機構３０の作動方向）で挟み込まれ、ポンプ機構３０における内容器５と一体的にストロークするシリンダ部３５に係合して、該シリンダ部３５の内容物吐出方向へのストロークを規制することで、ポンプ機構３０の吐出動作を、外容器１１の吐出口部２２にキャップ４を装着することのみで規制することができる。すなわち、吐出操作部への誤操作による内容物の吐出を、外容器１１の吐出口部２２にキャップ４を装着するという通常使用に伴う一動作によって確実に防止することができ、当該吐出容器１の操作性を大幅に高めることができる。
【００３９】
なお、本発明は上記実施形態に限られるものではなく、例えば、上記実施形態では、吐出機構としてポンプ機構３０を用いているが、これに代えてエアゾール機構を用いてもよい。
塗布ボール２に対して内容物を吐出する吐出容器１に限らず、例えばブラシに対して内容物を吐出するものやノズルから直接内容物を吐出するものに適用してもよい。
そして、上記実施形態における構成は本発明の一例であり、当該発明の要旨を逸脱しない範囲で種々の変更が可能である。
【符号の説明】
【００４０】
１  吐出容器
４  キャップ
５  内容器
１１  外容器
１４ｃ  外フランジ部（第二係合部）
２２  吐出口部
３０  ポンプ機構（吐出機構）
３５  シリンダ部（可動部）
４８ｂ  下端縁部（第一係合部）
５０  係合部材
５１  リング部（被挟持部）
５２  規制片（規制部）
【図１】
2014028625.tif 000003
【図２】
2014028625.tif 000004
【図３】
2014028625.tif 000005
【図４】
2014028625.tif 000006
【図５】
2014028625.tif 000007
【図６】
2014028625.tif 000008
【図７】
2014028625.tif 000009
【図８】
2014028625.tif 000010
【図９】
2014028625.tif 000011